(57)【要約】      （修正有）【課題】エレベーターの各ドアに、設置が簡便で、ドアに加えられる圧力や衝撃によってドアが昇降路側に押されて離脱することを防止し、最大限の安全性を確保する。【解決手段】レール１１５，１２５上で開閉される昇降カードア１１２の具備された昇降カー１１０と、レール上で開閉される昇降場ドアの具備されるエレベータードアの離脱防止装置において、昇降カードアと昇降場ドアのお互い向かい合って対応する外側面に、各レールに干渉なく、下向きに一定の長さを有するように装着される支持ブラケット１０，１０Ａと、各ドアの下部に、各支持ブラケットの外側面に位置し、ドア側に加えられる圧力や衝撃によってドアが押されて離脱されないように具備される各ストッパー手段２０，２０Ａを具備するのだが、お互い対応する位置の支持ブラケットとストッパー手段は、お互い重ならないずれた位置に具備されていることでドアが離脱することを防止する。【選択図】図２ａ
2008179482.tif 000002
【特許請求の範囲】
【請求項１】
昇降路に、乗客たちが搭乗できるようにレール上で開閉される昇降カードアの具備された昇降カーが巻上機によって昇、下降されるように具備され、建物の各層の昇降場には、前記昇降カー到着及び移動時にレール上で開閉される昇降場ドアの具備されるエレベータードアの離脱防止装置において、
前記昇降カードア（１１２）と昇降場ドア（１２２）のお互い向かい合って対応する外側面に、前記各レール（１１５，１２５）に干渉なく、下向きに一定の長さを有するように装着される支持ブラケット（１０，１０Ａ）と、
前記各ドアの下部に、各支持ブラケットの外側面に位置し、前記ドア側に加えられる圧力や衝撃によってドアが押されて離脱されないように具備される各ストッパー手段（２０，２０Ａ）を具備するのだが、前記お互い対応する位置の支持ブラケットとストッパー手段は、お互い重ならないずれた位置に具備されていることを特徴とするエレベータードアの離脱防止装置。
【請求項２】
前記昇降カードア（１１２）の下部に具備されるストッパー手段（２０）は、その昇降カーの下面に装着される固定フレーム（１２）に、前記支持ブラケット（１０）が外側に押されないように装着される固定ブラケット（１４）から構成されていることを特徴とする請求項１に記載のエレベータードアの離脱防止装置。
【請求項３】
前記昇降場ドア（１２２）の下部に具備されるストッパー手段（２０Ａ）は、前記レール（１２５）の下部の壁体に装着される固定フレーム（１２ａ）に、前記支持ブラケット（１０A）が外側に押されないように装着される固定ブラケット（１４ａ）から構成されていることを特徴とする請求項１に記載のエレベータードアの離脱防止装置。
【請求項４】
前記各ストッパー手段（２０，２０Ａ）の固定ブラケット（１４，１４ａ）には、前記支持ブラケット（１０，１０Ａ）が押されて接触時、これを感知する感知センサー（３０）を具備し、前記感知センサーには、その感知センサーの信号によって信号音を放出する音響放出手段（３２）が連結具備されていることを特徴とする請求項２または３に記載のエレベータードアの離脱防止装置。
【請求項５】
前記各支持ブラケット（１０，１０Ａ）には、下端が内側に鉤形態に折れ曲がって形成される引っ掛け部（４２）が形成され、その下部に位置する各ストッパー手段（２０，２０Ａ）は、前記各レール（１１５，１２５）の一端に延長され、前記引っ掛け部に掛かって支持される延長フレーム部（４０）から構成されていることを特徴とする請求項１に記載のエレベータードアの離脱防止装置。
【請求項６】
前記各ストッパー手段（２０，２０Ａ）は、各レール（１１５，１２５）が設置される受けフレーム（１１５ｂ，１２５ｂ）から延長され、前記支持ブラケット（１０，１０Ａ）の外側面に位置して、支持ブラケットが押されないように形成される装着ブラケット（５０）であることを特徴とする請求項１に記載のエレベータードアの離脱防止装置。
【請求項７】
前記ストッパー手段（２０，２０Ａ）は、中間に装着部（６０）が形成され、両側が対称になるように折り曲げられ、前記支持ブラケット（１０，１０Ａ）の外側面に位置する遮断ブラケット（６５）が一体に形成されていることを特徴とする請求項１に記載のエレベータードアの離脱防止装置。
【請求項８】
前記遮断ブラケット（６５）は、装着部（６０）の側面（６２）から分離して、その装着部の前、後方に位置を調節することができるように、前記装着部の側面に形成される長孔（６３）で前記遮断ブラケットに形成される装着面（６４）が締結固定されていることを特徴とする請求項７に記載のエレベータードアの離脱防止装置。
【発明の詳細な説明】
【技術分野】
【０００１】
本発明は、エレベーターの左、右に開閉されるドア用離脱防止装置に関するもので、より詳細には、既存に設置されたエレベーターの各ドアや、新設されるエレベーターの各ドアに、簡単な構造によって設置が簡便になり、ドアに加えられる圧力や衝撃によってドアが昇降路側に押されて離脱することを防止して、最大限の安全性を確保できるようにした、エレベータードアの離脱防止装置に関するものである。
【背景技術】
【０００２】
一般的にエレベーターは、高層建物の内部に具備される昇降路に設置される昇降カーが巻上機の駆動によって垂直に昇、下降しながら、乗客たちの層間移動を迅速で円滑にするもので、これを利用する乗客たちの安全を最大限保障するために安全装置の設置は必需的な要素として台頭された。
【０００３】
前記のように、建物に具備される一般的なエレベーター１００は、図７ａ及び図７ｂに図示されているように、昇降路１０２に、乗客たちが搭乗できるように開閉される昇降カードア１１２の具備された昇降カー１１０が、巻上機によって昇、下降されるように具備され、建物の各層の昇降場１２０には、前記昇降カー到着及び移動時に開閉される昇降場ドア１２２が具備される。
【０００４】
このように、エレベーターには、昇降カーに具備される昇降カードアと、昇降場に具備される昇降場ドアとが具備され、乗客たちの搭乗によって開閉されるように具備されるのだが、前記各昇降カードア１１２や、特に昇降場ドア１２２は、図示されているように、昇降カーの下部と昇降場の床面に埋設された各レール１１５，１２５の案内溝１１５ａ，１２５ａ上に、前記各ドア１１２，１２２の下部に具備された設置ブラケット１３２にゴムなどのような合成樹脂材のシュー１３０が連結片１３４によって装着され、そのシューが前記案内溝に挿入されてスライディングしながら開閉されるように構成される。
【０００５】
しかし、このような従来のエレベーターに具備される各ドア１１２，１２２、特に昇降場のドアは、下部が単純にレールの案内溝にシューだけが挿入されて支持されることによって、度重なる開閉によるシューの磨耗によって前記案内溝から離脱されたり、またはドアの外部から加えられる圧力や衝撃などによって前記シューが案内溝から離脱され、ドアが昇降路側に押されながら使用者が昇降路に墜落する事故が頻繁に発生し、安全上に大きな欠陥があった。
【０００６】
このため、前記ドアが昇降路側に押されるのを防止しようと色々な形態の安全装置を設置しようとしたが、エレベーターのドア、つまり昇降カードアと昇降場ドアの設置される狭小な空間の特性上、安全装置を具備するのが困難であるという問題点を有していた。
【発明の開示】
【発明が解決しようとする課題】
【０００７】
そこで、本発明は、前記のような従来の諸般問題点を解消しようと案出されたもので、その目的は、既存に設置されたエレベーターの各ドアや、新設されるエレベーターの各ドアの狭小な空間にも簡単な構造にて設置が簡便になされ、またドアに加えられる圧力や衝撃によってドアが昇降路側に押されて離脱するのを防止して、最大限の安全性を確保できるようにすることにある。
【０００８】
本発明の別の目的は、ドアに圧力や衝撃が加えられて押される場合、聴覚的にも確認が容易にできるようにすることにある。
【０００９】
本発明のまた別の目的は、より簡単な構造によって安全性を確保できるようにすることにある。
【００１０】
本発明のまた別の目的は、ストッパー手段をより簡単な構造で形成することにある。
【課題を解決するための手段】
【００１１】
前記のような目的を達成するための本発明は、昇降路に、乗客たちが搭乗できるようにレール上で開閉される昇降カードアの具備された昇降カーが巻上機によって昇、下降されるように具備され、建物の各層の昇降場には、前記昇降カー到着及び移動時にレール上で開閉される昇降場ドアの具備されるエレベータードアの離脱防止装置において、前記昇降カードアと昇降場ドアのお互い向かい合って対応する外側面に、前記各レールに干渉なく、下向きに一定の長さを有するように装着される支持ブラケットと、前記各ドアの下部に、各支持ブラケットの外側面に位置し、前記ドア側に加えられる圧力や衝撃によってドアが押されて離脱されないように具備される各ストッパー手段を具備するのだが、前記お互い対応する位置の支持ブラケットとストッパー手段は、お互い重ならないずれた位置に具備されていることを特徴とする。
【００１２】
前記昇降カードアの下部に具備されるストッパー手段は、その昇降カーの下面に装着される固定フレームに、前記支持ブラケットが外側に押されないように装着される固定ブラケットから構成されていることを特徴とする。
【００１３】
前記昇降場ドアの下部に具備されるストッパー手段は、前記レールの下部の壁体に装着される固定フレームに、前記支持ブラケットが外側に押されないように装着される固定ブラケットから構成されていることを特徴とする。
【００１４】
前記各ストッパー手段の固定ブラケットには、前記支持ブラケットが押されて接触時、これを感知する感知センサーを具備し、前記感知センサーには、その感知センサーの信号によって信号音を放出する音響放出手段が連結具備されていることを特徴とする。
【００１５】
前記各支持ブラケットには、下端が内側に鉤形態に折れ曲がって形成される引っ掛け部が形成され、その下部に位置する各ストッパー手段は、前記各レールの一端に延長され、前記引っ掛け部に掛かって支持される延長フレーム部から構成されていることを特徴とする。
【００１６】
前記各ストッパー手段は、各レールが設置される受けフレームから延長され、前記支持ブラケットの外側面に位置して、支持ブラケットが押されないように形成される装着ブラケットであることを特徴とする。
【００１７】
前記ストッパー手段は、中間に装着部が形成され、両側が対称になるように折り曲げられ、前記支持ブラケットの外側面に位置する遮断ブラケットが一体に形成されていることを特徴とする。
【００１８】
前記遮断ブラケットは、装着部の側面から分離して、その装着部の前、後方に位置を調節することができるように、前記装着部の側面に形成される長孔で前記遮断ブラケットに形成される装着面が締結固定されていることを特徴とする。
【発明の効果】
【００１９】
上述したように、本発明は、既存に設置されたエレベーターの各ドアや、新設されるエレベーターの各ドアの狭小な空間にも簡単な構造によって設置が簡便になされ、またドアに加えられる圧力や衝撃によってドアが昇降路側に押されて離脱するのを防止して、最大限の安全性を確保できるようにすることによって、既存に設置されたエレベーターにも簡単に適用することができて互換性が優れているだけでなく、使用者においても墜落事故の危険性なく、安全に使用することができるようになるという効果を有する。
【００２０】
また、ドアに圧力や衝撃が加えられて押される場合、信号音を放出して聴覚的にも確認が容易にできるようにすることによって、使用者においても危険性をより迅速で正確に把握して、より大きな安全性を確保することができるという効果を有する。
【００２１】
また、ストッパー手段を別途の部品で具備するのではなく、レールやレール設置時に必要とされる部品に一体で具備することによって、別途の部品なしに、より簡単な構造によって安全性を確保することができるという効果を有する。
【００２２】
また、ストッパー手段を各々個別的に具備するのではなく、一体型に形成することによって、より迅速で簡単に設置することができるという効果を有するのである。
【００２３】
また、ストッパー手段の遮断ブラケットを前、後に位置調節して締結固定することによって、設置条件によって望みの位置に容易に締結固定することができるという効果を有する。
【発明を実施するための最良の形態】
【００２４】
以下、本発明の好ましい実施例を、前述した同一な技術的構成に対しては同一符号を記載し、添付の図面を参照してより詳細に説明すると、下記のとおりである。
【００２５】
図１は、本発明が昇降場ドアに設置された状態の概略的な要部正面図で、図２ａは、図１による概略的な要部側断面図で、図２ｂは、図２ａによる概略的な要部平断面図である。
【００２６】
図示されているように、昇降路１０２に、乗客たちが搭乗できるようにレール１１５上で開閉される昇降カードア１１２の具備された昇降カー１１０が、巻上機によって昇、下降されるように具備され、建物の各層の昇降場１２０には、前記昇降カー到着及び移動時にレール１２５上で開閉される昇降場ドア１２２の具備されるエレベーター１００ドアの離脱防止装置において、本発明は、既存に設置されたエレベーターの各ドアや、新設されるエレベーターの各ドアの狭小な空間にも簡単な構造によって設置が簡便になされ、また外部から加えられる圧力や衝撃によってドアが昇降路側に押され離脱するのを防止して、最大限の安全性を確保することができるようにするために、前記昇降カードア１１２と昇降場ドア１２２のお互い向かい合って対応する外側面に一回、または一回以上折り曲げられ、前記各レール１１５，１２５に干渉されることなく、下向きに一定の長さを有するように装着される各々の支持ブラケット１０，１０Ａと、前記各ドア１１２，１２５の下部に、各支持ブラケットの外側面に位置し、前記ドア側に加えられる圧力や衝撃によってドアが押されて離脱されないように具備される各ストッパー手段２０，２０Ａを具備するのだが、前記お互い対応する位置の支持ブラケット１０，１０Ａとストッパー手段２０，２０Ａとは、お互い重ならないずれた位置に具備して、前記昇降カードアと昇降場ドアの間の狭小な空間でも干渉されることなく容易に設置され、各ドアの開閉には支障を招かないように具備されることを示したものである。
【００２７】
前記昇降カードア１１２の下部に具備されるストッパー手段２０は、その昇降カー１１０の下面に装着される固定フレーム１２に、前記支持ブラケット１０が外側に押されないように上向きに折り曲げられた形態で装着される固定ブラケット１４から構成されるのが好ましい。
【００２８】
前記昇降場ドア１２２の下部に具備されるストッパー手段２０Ａは、前記レール１２５の下部の壁体に装着される固定フレーム１２ａに、前記支持ブラケット１０Ａが外側に押されないように上向きに折り曲げられた形態で装着される固定ブラケット１４ａから構成されるのが好ましい。
【００２９】
前記のように構成された本発明では、昇降場でその昇降場ドアに圧力や衝撃が加えられる時に、前記昇降場ドアの下部昇降路側に具備される支持ブラケットが、その支持ブラケットの下部に具備されるストッパー手段によって支持され、つまり前記昇降場ドアのレールの下部壁体に、前記支持ブラケットが昇降路側に押されて離脱されるのを防止しようと上向きに折り曲げ形成された固定ブラケットを装着して、前記昇降場ドアが昇降路側に押されないように支持することになるのである。
【００３０】
これによって、前記昇降場ドアがドア側に加えられる圧力や衝撃によって昇降路側に押されて離脱されないようになって、前記昇降場ドアが昇降路側に押されて離脱されることによって発生していた墜落事故などを防止することができる条件を有することになり、安全性を最大限確保できる条件を有することになるのである。
【００３１】
また、前記昇降カードアも、前述した昇降場ドアのように、支持ブラケットとその下部のストッパー手段とによって、前記昇降カー内部で昇降路側のドアに発生する圧力や衝撃によってドアが離脱されないようになって、安全性を確保することができる条件を有することになるのである。
【００３２】
一方、前記昇降カードアと昇降場ドアのお互い対応する位置に具備される支持ブラケットとストッパー手段とは、図１のようにお互い重ならない、ずれた位置に具備されることによって、前記昇降カーが昇下降されながら、昇降場に到着して各昇降カードアと昇降場ドアが開閉される時、狭小な空間でもお互い干渉されることなく、円滑に開閉されることができるという条件も具備することになるのである。
【００３３】
図３は、本発明の他の実施例を概略的に示した要部図である。
【００３４】
図示されているように、前記の構成で、前記各ドアが昇降路側に押される場合、聴覚的に確認が容易にできるようにするために、前記各ストッパー手段２０，２０Ａの固定ブラケット１４，１４ａには、前記支持ブラケット１０，１０Ａが加えられる圧力や衝撃によって押されて接触時、これを感知する通常のリミットスイッチなどのような感知センサー３０を具備し、前記感知センサーには、その感知センサーの信号によって通常の図示されていない制御部によって警告音などのような信号音を放出するスピーカーなどのような音響放出手段(図示せず)が連結具備されることを示したものである。
【００３５】
これによって、昇降場や昇降カー内部で発生する圧力や衝撃によってドアが押され、そのドアに装着される支持ブラケットがストッパー手段の固定ブラケットに具備されている感知センサーと接触された場合、前記感知センサーと連結された音響放出手段によって警告音などのような信号音が放出されることにより、前記ドアが押されて離脱危険があることを聴覚的に知らせることによって、更に大きな安全性を確保することができるという条件を有することになる。
【００３６】
図４は、本発明のまた他の実施例を概略的に示した要部図である。
【００３７】
図示されているように、前記の構成で、前記各支持ブラケットと、その支持ブラケットが押されてドアが離脱されるのを防止しようと具備される各ストッパー手段とを、前述した別途の固定フレームと固定ブラケットとを具備するのではなく、より簡単な構造を有することができるようにするために、前記各支持ブラケット１０，１０Ａには、下端が内側に鉤形態に折り曲げられて形成される引っ掛け部４２が形成され、その下部に位置する各ストッパー手段２０，２０Ａは、前記各レール１１５，１２５の一端に延長され、前記引っ掛け部４２に掛かって支持される延長フレーム部４０から構成されていることを示したものである。
【００３８】
前記で、延長フレームは、レールで別途に溶接やスクリュー締結して一体化できるだけでなく、レール製造時に一体に形成しても構わない。
【００３９】
これによって、前述した前記ストッパー手段を別途の固定フレームと固定ブラケットで構成するのではなく、ドアが開閉されるレールに一体に形成することによって、より簡単な構造を有しながらも、ドアが外部から加えられる圧力や衝撃によって押されて離脱されるのを防止することができるのである。
【００４０】
図５は、本発明のまた他の実施例を概略的に示した要部図である。
【００４１】
図示されているように、前記の構成で、前記各ドアに装着された支持ブラケットが押されないように具備される各ストッパー手段を、前述した別途の固定フレームと固定ブラケットを使用せずに、レール設置時に具備される部品と一体に形成して、より簡単な構造を有するようにするために、前記各ストッパー手段２０，２０Ａは、各レール１１５，１２５が設置される受けフレーム１１５ｂ,１２５ｂから延長され、前記支持ブラケット１０，１０Ａの外側面に位置して、支持ブラケットが押されないように形成される装着ブラケット５０であることを示したものである。
【００４２】
前記装着ブラケットは、その受けフレームに溶接やスクリュー締結されて装着されたり、または受けフレームの製造時に一体に形成しても構わない。
【００４３】
これによって、前述した各ストッパー手段を具備するための別途の固定フレームと固定ブラケットを具備せずとも、レール設置時に具備される受けフレームに支持ブラケットを支持する装着ブラケットを一体に具備することによって、より簡単な構造を有することができるという条件も具備することになる。
【００４４】
図６ａは、本発明のまた他の実施例を概略的に示した要部図である。
【００４５】
図示されているように、前記の構成で、前記昇降カードアや昇降場ドアの下部に各々具備されていたストッパー手段を、より簡単な構造を有することができるようにするために、前記ストッパー手段２０，２０Ａは、中間に昇降カーに装着される固定フレーム１２に装着されたり、または昇降場ドア下部の固定フレームや壁体に直接装着される装着部６０が形成され、両側が対称になるように折り曲げられ、前記各支持ブラケット１０，１０Ａの外側面に位置する遮断ブラケット６５が一体に形成されるのを示したものである。
【００４６】
これによって、前述したストッパー手段を各々個別的に具備して設置しなければならない煩わしさを取り除き、より簡単でありながら迅速に設置することができるという条件を有することになるのである。
【００４７】
図６ｂは、図６ａのまた他の実施例を概略的に示した要部図である。
【００４８】
図示されているように、前記した図６ａの構成で、前記遮断ブラケットを設置しようとする条件によって、前、後に位置を調節して設置することができるようにするために、前記遮断ブラケット６５は、装着部６０の側面６２から分離して、その装着部の前、後方に位置を調節することができるように、前記装着部の側面に形成される長孔６３でその遮断ブラケットに形成される装着面６４が締結固定されているのを示したものである。
【００４９】
これによって、前記ストッパー手段を設置しようとする条件によって、前記遮断ブラケットの位置を、その装着部の側面から望みの位置に締結固定できるようにすることによって、設置上の如何なる制限も受けず、容易に設置することができるという条件も有することになるのである。
【図面の簡単な説明】
【００５０】
【図１】本発明が昇降場ドアに設置された状態の概略的な要部正面図である。
【図２ａ】図１による概略的な要部側断面図である。
【図２ｂ】図２ａによる概略的な要部平断面図である。
【図３】本発明の他の実施例を概略的に示した要部図である。
【図４】本発明のまた他の実施例を概略的に示した要部図である。
【図５】本発明のまた他の実施例を概略的に示した要部図である。
【図６ａ】本発明のまた他の実施例を概略的に示した要部図である。
【図６ｂ】図６ａのまた他の実施例を概略的に示した要部図である。
【図７ａ】一般的なエレベーターの構造を概略的に示した要部正面図である。
【図７ｂ】図７ａによる概略的な要部側断面図である。
【符号の説明】
【００５１】
１０，１０Ａ    支持ブラケット
１２，１２ａ    固定フレーム
１４，１４ａ    固定ブラケット
２０，２０Ａ    ストッパー手段
３０    感知センサー
３２    音響放出手段
４０    延長フレーム
４２    引っ掛け部
５０    装着ブラケット
６０    装着部
６２    側面
６３    長孔
６５    遮断ブラケット
１００    エレベーター
１１０    昇降カー
１１２    昇降カードア
１１５，１２５    レール
１１５ａ，１２５ａ    案内溝
１１５ｂ，１２５ｂ    受けフレーム
１２０    昇降場
１２２    昇降場ドア
【図１】
2008179482.tif 000003
【図２ａ】
2008179482.tif 000004
【図２ｂ】
2008179482.tif 000005
【図３】
2008179482.tif 000006
【図４】
2008179482.tif 000007
【図５】
2008179482.tif 000008
【図６ａ】
2008179482.tif 000009
【図６ｂ】
2008179482.tif 000010
【図７ａ】
2008179482.tif 000011
【図７ｂ】
2008179482.tif 000012